(57)【要約】【課題】出金された紙幣を顧客が扱いやすくなり、また紙幣の出金処理にかかる時間を短縮することができ、さらに営業時間中でも顧客による紙幣の取扱期間を中断させることなく帯封紙幣収納部に帯封紙幣を補充することができる紙幣処理装置を提供する。【解決手段】紙幣処理装置１０は、帯封紙幣を収納する帯封紙幣収納部４０と、筐体１２における顧客側の側面に設けられ、帯封紙幣を筐体１２の外部に投出するための第２投出部（例えば、帯封紙幣投出部４２）とを備えており、筐体１２における係員側の側面から帯封紙幣収納部４０に帯封紙幣を補充可能となっている。【選択図】図２
2017033127.tif 000002
【特許請求の範囲】
【請求項１】
顧客側の側面および係員側の側面を有する筐体と、
バラ紙幣を収納するバラ紙幣収納部と、
前記筐体における顧客側の側面に設けられ、バラ紙幣を前記筐体の外部に投出するための第１投出部と、
帯封紙幣を収納する帯封紙幣収納部と、
前記筐体における顧客側の側面に設けられ、帯封紙幣を前記筐体の外部に投出するための第２投出部と、
前記バラ紙幣収納部から前記第１投出部にバラ紙幣を搬送するバラ紙幣搬送手段と、
前記帯封紙幣収納部に収納されている帯封紙幣を前記第２投出部に搬送する帯封紙幣搬送手段と、
を備え、
前記筐体における係員側の側面から前記帯封紙幣収納部に帯封紙幣を補充可能となっている、紙幣処理装置。
【請求項２】
前記筐体における係員側の側面から前記筐体の外部に引き出し可能となっている引出部を更に備え、
前記帯封紙幣収納部は前記引出部に設けられている、請求項１記載の紙幣処理装置。
【請求項３】
前記帯封紙幣収納部の底面から上方に突出可能となっており、前記帯封紙幣収納部に収納される帯封紙幣の位置合わせを行うための突出部が当該帯封紙幣収納部に設けられており、
前記引出部が前記筐体の外部に引き出されたときに前記突出部が前記帯封紙幣収納部の底面から上方に突出するようになっている、請求項２記載の紙幣処理装置。
【請求項４】
前記筐体における係員側の側面には扉が設けられており、
前記扉を開くことにより前記帯封紙幣収納部に帯封紙幣を補充することができるようになっている、請求項１記載の紙幣処理装置。
【請求項５】
前記バラ紙幣搬送手段および前記帯封紙幣搬送手段を制御する制御部と、
前記筐体の外部に投出されるべき紙幣の枚数または金額に関する情報を受け付ける投出紙幣情報受付手段と、
を更に備え、
前記制御部は、前記投出紙幣情報受付手段により受け付けられた情報に基づく前記筐体の外部に投出されるべき同一金種の紙幣の枚数が予め設定された所定枚数の等数倍以上である場合に、所定枚数の等数倍分の紙幣を帯封紙幣で前記第２投出部により前記筐体の外部に投出させるとともに所定枚数未満の紙幣をバラ紙幣で前記第１投出部により前記筐体の外部に投出させるよう前記バラ紙幣搬送手段および前記帯封紙幣搬送手段を制御する、請求項１乃至４のいずれか一項に記載の紙幣処理装置。
【請求項６】
前記制御部は、前記筐体の外部に投出されるべきバラ紙幣が前記第１投出部に送られて前記筐体の外部から取り出し可能となるタイミングと、前記筐体の外部に投出されるべき帯封紙幣が前記第２投出部に送られて前記筐体の外部から取り出し可能となるタイミングとが略同一となるよう前記バラ紙幣搬送手段および前記帯封紙幣搬送手段を制御する、請求項５記載の紙幣処理装置。
【請求項７】
前記第１投出部および前記第２投出部は上下方向に沿って並ぶよう配置されている、請求項１乃至６のいずれか一項に記載の紙幣処理装置。
【請求項８】
前記バラ紙幣搬送手段により前記第１投出部に送られて前記筐体の外部から取り出し可能となっているバラ紙幣の先端位置と、前記帯封紙幣搬送手段により前記第２投出部に送られて前記筐体の外部から取り出し可能となっている帯封紙幣の先端位置とが異なるようになっている、請求項７記載の紙幣処理装置。
【請求項９】
前記帯封紙幣収納部に収納される帯封紙幣の数が予め設定された所定数となったときに前記帯封紙幣収納部に収納される帯封紙幣の数が前記所定数であるという情報を出力する出力手段を更に備えた、請求項１乃至８のいずれか一項に記載の紙幣処理装置。
【請求項１０】
前記出力手段により出力された情報を係員に報知するための報知手段を更に備えた、請求項９記載の紙幣処理装置。
【発明の詳細な説明】
【技術分野】
【０００１】
本発明は、少なくとも紙幣の出金処理を行う紙幣処理装置に関する。
【背景技術】
【０００２】
従来から、紙幣の入金処理や出金処理等の様々な処理を行う紙幣処理装置として様々なタイプのものが知られている。例えば、特許文献１には、紙幣の入金処理を行う際に複数のバラ紙幣を集積状態で入金口部に投入することができるとともに、紙幣の出金処理を行う際に複数のバラ紙幣が集積状態で出金口部に搬送され、この出金口部から集積状態の複数のバラ紙幣を筐体の外部に取り出し可能となる紙幣処理装置が開示されている。特許文献１に開示される紙幣処理装置では、当該紙幣処理装置が設置される店舗等において顧客がバラ紙幣の入金処理および出金処理を行うことができるよう、入金口部および出金口部は筐体の前面（すなわち、顧客側の側面）において鉛直方向に沿って並ぶよう配置されている。
【先行技術文献】
【特許文献】
【０００３】
【特許文献１】特開２０１１−１５４６５４号公報
【発明の概要】
【発明が解決しようとする課題】
【０００４】
紙幣の入金処理や出金処理を行う紙幣処理装置を例えば競馬場に設置し、顧客に対して当選馬券の払い戻しをこのような紙幣処理装置で行う場合において、紙幣の出金処理を行う際に複数のバラ紙幣が集積状態で出金口部に搬送され、この出金口部から集積状態の複数のバラ紙幣が筐体の外部に取り出し可能となるような従来技術の紙幣処理装置では、顧客に払い戻されるべき紙幣の枚数が多い（例えば、１００枚を超える）ときに、出金口部から取り出された集積状態の複数のバラ紙幣を顧客が扱い難いという問題がある。また、従来技術の紙幣処理装置では紙幣の出金処理を行う際にバラ紙幣が１枚ずつバラ紙幣収納部から出金口部に搬送されるため、出金口部に所定の枚数のバラ紙幣が送られるまで時間がかかるという問題がある。
【０００５】
本発明は、このような点を考慮してなされたものであり、出金された紙幣を顧客が扱いやすくなり、また紙幣の出金処理にかかる時間を短縮することができ、さらに営業時間中でも顧客による紙幣の取扱期間を中断させることなく帯封紙幣収納部に帯封紙幣を補充することができる紙幣処理装置を提供することを目的とする。
【課題を解決するための手段】
【０００６】
本発明による紙幣処理装置は、顧客側の側面および係員側の側面を有する筐体と、バラ紙幣を収納するバラ紙幣収納部と、前記筐体における顧客側の側面に設けられ、バラ紙幣を前記筐体の外部に投出するための第１投出部と、帯封紙幣を収納する帯封紙幣収納部と、前記筐体における顧客側の側面に設けられ、帯封紙幣を前記筐体の外部に投出するための第２投出部と、前記バラ紙幣収納部から前記第１投出部にバラ紙幣を搬送するバラ紙幣搬送手段と、前記帯封紙幣収納部に収納されている帯封紙幣を前記第２投出部に搬送する帯封紙幣搬送手段と、を備え、前記筐体における係員側の側面から前記帯封紙幣収納部に帯封紙幣を補充可能となっていることを特徴とする。
【０００７】
このような紙幣処理装置によれば、紙幣の出金処理を行う際に帯封紙等の帯封媒体で帯封された帯封紙幣を筐体の外部に投出させることにより出金された紙幣を顧客が扱いやすくなり、また紙幣の出金処理にかかる時間を短縮することができ、さらに筐体における係員側の側面から帯封紙幣収納部に帯封紙幣を補充可能となっているため営業時間中でも顧客による紙幣の取扱期間を中断させることなく帯封紙幣収納部に帯封紙幣を補充することができる。
【０００８】
本発明の紙幣処理装置は、前記筐体における係員側の側面から前記筐体の外部に引き出し可能となっている引出部を更に備え、前記帯封紙幣収納部は前記引出部に設けられていてもよい。
【０００９】
この場合、前記帯封紙幣収納部の底面から上方に突出可能となっており、前記帯封紙幣収納部に収納される帯封紙幣の位置合わせを行うための突出部が当該帯封紙幣収納部に設けられており、前記引出部が前記筐体の外部に引き出されたときに前記突出部が前記帯封紙幣収納部の底面から上方に突出するようになっていてもよい。
【００１０】
本発明の紙幣処理装置においては、前記筐体における係員側の側面には扉が設けられており、前記扉を開くことにより前記帯封紙幣収納部に帯封紙幣を補充することができるようになっていてもよい。
【００１１】
本発明の紙幣処理装置は、前記バラ紙幣搬送手段および前記帯封紙幣搬送手段を制御する制御部と、前記筐体の外部に投出されるべき紙幣の枚数または金額に関する情報を受け付ける投出紙幣情報受付手段と、を更に備え、前記制御部は、前記投出紙幣情報受付手段により受け付けられた情報に基づく前記筐体の外部に投出されるべき同一金種の紙幣の枚数が予め設定された所定枚数の等数倍以上である場合に、所定枚数の等数倍分の紙幣を帯封紙幣で前記第２投出部により前記筐体の外部に投出させるとともに所定枚数未満の紙幣をバラ紙幣で前記第１投出部により前記筐体の外部に投出させるよう前記バラ紙幣搬送手段および前記帯封紙幣搬送手段を制御するようになっていてもよい。
【００１２】
この場合、前記制御部は、前記筐体の外部に投出されるべきバラ紙幣が前記第１投出部に送られて前記筐体の外部から取り出し可能となるタイミングと、前記筐体の外部に投出されるべき帯封紙幣が前記第２投出部に送られて前記筐体の外部から取り出し可能となるタイミングとが略同一となるよう前記バラ紙幣搬送手段および前記帯封紙幣搬送手段を制御するようになっていてもよい。
【００１３】
本発明の紙幣処理装置においては、前記第１投出部および前記第２投出部は上下方向に沿って並ぶよう配置されていてもよい。
【００１４】
この場合、前記バラ紙幣搬送手段により前記第１投出部に送られて前記筐体の外部から取り出し可能となっているバラ紙幣の先端位置と、前記帯封紙幣搬送手段により前記第２投出部に送られて前記筐体の外部から取り出し可能となっている帯封紙幣の先端位置とが異なるようになっていてもよい。
【００１５】
本発明の紙幣処理装置は、前記帯封紙幣収納部に収納される帯封紙幣の数が予め設定された所定数となったときに前記帯封紙幣収納部に収納される帯封紙幣の数が前記所定数であるという情報を出力する出力手段を更に備えていてもよい。
【００１６】
この場合、本発明の紙幣処理装置は、前記出力手段により出力された情報を係員に報知するための報知手段を更に備えていてもよい。
【発明の効果】
【００１７】
本発明の紙幣処理装置によれば、出金された紙幣を顧客が扱いやすくなり、また紙幣の出金処理にかかる時間を短縮することができ、さらに営業時間中でも顧客による紙幣の取扱期間を中断させることなく帯封紙幣収納部に帯封紙幣を補充することができる。
【図面の簡単な説明】
【００１８】
【図１】本発明の実施の形態による紙幣処理装置を含む払い戻し機の構成を示す側面図である。
【図２】図１に示す紙幣処理装置の内部構成を概略的に示す概略構成図である。
【図３】図１等に示す紙幣処理装置における投出入ユニットから顧客側に突出したバラ紙幣および帯封紙幣を示す側面図である。
【図４】図１等に示す紙幣処理装置の斜視図であって、帯封紙幣収納部が後方位置（待機位置）に位置しているときの状態を示す図である。
【図５】図１等に示す紙幣処理装置の斜視図であって、筐体における係員側の側面から筐体の外部に引出部が引き出されたときの状態を示す図である。
【図６】図１等に示す紙幣処理装置の斜視図であって、帯封紙幣収納部が前方位置に移動したときの状態を示す図である。
【図７】図１等に示す紙幣処理装置の斜視図であって、ベース部が筐体の上面から上方に開かれたときの状態を示す図である。
【図８】図１等に示す紙幣処理装置における帯封紙幣搬送部の構成を示す斜視図である。
【図９】（ａ）は、図１等に示す紙幣処理装置において筐体における係員側の側面から筐体の外部に引出部が引き出されたときの突出部の構成を示す側面図であり、（ｂ）は、図１等に示す紙幣処理装置において引出部が筐体内に収容されているときの突出部の構成を示す側面図である。
【図１０】図１等に示す紙幣処理装置における制御系の構成を示す機能ブロック図である。
【図１１】変形例に係る紙幣処理装置における帯封紙幣収納部や帯封紙幣搬送部の構成を示す側面図である。
【図１２】別の変形例に係る紙幣処理装置の内部構成を概略的に示す概略構成図である。
【発明を実施するための形態】
【００１９】
以下、図面を参照して本発明の実施の形態について説明する。図１乃至図１０は、本実施の形態に係る紙幣処理装置を示す図である。このうち、図１は、本実施の形態による紙幣処理装置を含む払い戻し機の構成を示す側面図であり、図２は、図１に示す紙幣処理装置の内部構成を概略的に示す概略構成図である。また、図３は、図１等に示す紙幣処理装置における投出入ユニットから顧客側に突出したバラ紙幣および帯封紙幣を示す側面図である。また、図４乃至図７は、それぞれ、図１等に示す紙幣処理装置の斜視図であり、図８は、図１等に示す紙幣処理装置における帯封紙幣搬送部の構成を示す斜視図である。また、図９（ａ）（ｂ）は、それぞれ、図１等に示す紙幣処理装置における突出部の構成を示す側面図である。また、図１０は、図１等に示す紙幣処理装置における制御系の構成を示す機能ブロック図である。なお、図３、図８および図９において、バラ紙幣の束を参照符号Ｐ１で示し、また、帯封紙幣を参照符号Ｐ２で示している。
【００２０】
本実施の形態による紙幣処理装置１０は、競馬場等に設置される払い戻し機１００（図１において二点鎖線でその輪郭を表示）の一部として構成されている。ここで、競馬場等に設置される払い戻し機１００は顧客によって操作されるようになっており、顧客が払い戻し機１００に当選馬券を投入すると当選金としての紙幣や硬貨が払い戻し機１００から顧客に払い戻されるようになっている。なお、図１における払い戻し機１００の左側の側面が顧客側（図１において参照符号Ａで表示）の側面となっており、図１における払い戻し機１００の右側の側面が競馬場等の係員側（図１において参照符号Ｂで表示）の側面となっている。すなわち、図１における払い戻し機１００の左側の側面（すなわち、顧客側の側面）に、馬券の投入口が設けられているとともに紙幣や硬貨の投出口が設けられている。また、競馬場等の係員は図１における払い戻し機１００の右側の側面から当該払い戻し機１００の内部にアクセスしてこの払い戻し機１００のメンテナンスやエラー解除等の操作を行うことができるようになっている。
【００２１】
本実施の形態による紙幣処理装置１０は、バラ紙幣の入金処理や出金処理を行うことができるとともに、帯封紙幣の出金処理を行うことができるようになっている。このような紙幣処理装置１０の内部構成の詳細について図２を用いて説明する。図１および図２に示すように、紙幣処理装置１０は略直方体形状の筐体１２を有している。なお、図２における筐体１２の左側の側面が顧客側（図１や図２において参照符号Ａで表示）の側面となっており、図２における筐体１２の右側の側面が競馬場等の係員側（図１や図２において参照符号Ｂで表示）の側面となっている。また、図２における右方向が筐体１２の奥行き方向となっている。
【００２２】
また、筐体１２の前面（すなわち、顧客側の側面）には、筐体１２の外部から内部にバラ紙幣を投入するためのバラ紙幣投入部１４、筐体１２の内部から外部にバラ紙幣を投出するためのバラ紙幣投出部１６、および筐体１２の内部から外部に帯封紙幣を投出するための帯封紙幣投出部４２がそれぞれ設けられている。また、筐体１２の前面（すなわち、顧客側の側面）には、帯封紙幣の投出口、バラ紙幣の投出口およびバラ紙幣の投入口が上下方向に沿って上から並ぶよう設けられた投出入ユニット１３が設けられており、これらの帯封紙幣の投出口、バラ紙幣の投出口およびバラ紙幣の投入口の各々を介して、顧客は帯封紙幣投出部４２やバラ紙幣投出部１６から帯封紙幣やバラ紙幣を取り出したり、バラ紙幣投入部１４にバラ紙幣を投入したりすることができるようになる。より詳細には、顧客は、投出入ユニット１３に設けられたバラ紙幣の投入口を介して、バラ紙幣の束をバラ紙幣投入部１４に投入することができるようになっている。また、顧客は、投出入ユニット１３に設けられたバラ紙幣の投出口を介して、バラ紙幣投出部１６に集積されている１枚のバラ紙幣またはバラ紙幣の束を筐体１２の外部に取り出すことができるようになっている。また、顧客は、投出入ユニット１３に設けられた帯封紙幣の投出口を介して、帯封紙幣投出部４２に集積されている１つの帯封紙幣を筐体１２の外部に取り出すことができるようになっている。また、図２乃至図４に示すように、投出入ユニット１３の前面（すなわち、顧客側の前面）は、その高さレベルが大きくなるに従って鉛直方向に対してやや斜め後方に傾斜しており、このことにより顧客が投出入ユニット１３を斜め下方に見下ろしたときにこの投出入ユニット１３の前面にそれぞれ設けられた帯封紙幣の投出口、バラ紙幣の投出口およびバラ紙幣の投入口を見やすくなる。
【００２３】
バラ紙幣投入部１４には、当該バラ紙幣投入部１４に投入されたバラ紙幣を１枚ずつ筐体１２の内部に繰り出すためのバラ紙幣繰出機構１４ａ（図１０参照）が設けられている。また、紙幣処理装置１０の筐体１２の内部には、当該筐体１２内でバラ紙幣を１枚ずつ搬送するバラ紙幣搬送部１８が設けられており、バラ紙幣繰出機構１４ａによりバラ紙幣投入部１４から繰り出されたバラ紙幣はバラ紙幣搬送部１８により筐体１２内で搬送されるようになっている。また、バラ紙幣搬送部１８には識別部２０が設けられており、バラ紙幣搬送部１８により搬送されるバラ紙幣は識別部２０によりその金種、真偽、表裏、正損、新旧、搬送状態等が識別されるようになっている。
【００２４】
また、バラ紙幣投出部１６には、バラ紙幣搬送部１８からバラ紙幣投出部１６に送られたバラ紙幣を積層状態に集積させるバラ紙幣集積機構１６ａ（図１０参照）が設けられている。具体的に説明すると、バラ紙幣集積機構１６ａは、バラ紙幣投出部１６の底部の近傍において昇降自在に設置されるステージと、ステージの上方において当該ステージと対向するように設けられた搬送ベルトとを有しており、バラ紙幣搬送部１８からバラ紙幣投出部１６に送られたバラ紙幣はステージ上に集積されるようになっている。ここで、ステージの上面には複数のローラが設けられており、ステージ上に集積されたバラ紙幣の束は、各ローラが回転することにより筐体１２の奥行き方向（すなわち、図２における左右方向）に移動することができるようになっている。また、ステージ上に集積されたバラ紙幣の束がステージと搬送ベルトとの間で保持された状態で搬送ベルトにより筐体１２の外部に向かって（すなわち、図２における左側に）押し出されるようになっている。また、本実施の形態のバラ紙幣集積機構１６ａでは、ステージ上に集積されたバラ紙幣を集積状態のままバラ紙幣搬送部１８に戻すことができるようになっている。
【００２５】
図２に示すように、筐体１２の内部における下部領域には、千円紙幣を収納するための第１収納部２２および一万円紙幣を収納するための第２収納部２４が、筐体１２の奥行き方向における前後方向に沿って並ぶよう設けられており、これらの第１収納部２２および第２収納部２４にはそれぞれバラ紙幣搬送部１８が接続されている。ここで、バラ紙幣搬送部１８から第１収納部２２および第２収納部２４にそれぞれ送られたバラ紙幣はこれらの第１収納部２２および第２収納部２４において積層状態で収納されるようになる。また、第１収納部２２および第２収納部２４には、それぞれ、これらの第１収納部２２および第２収納部２４に収納されているバラ紙幣を１枚ずつバラ紙幣搬送部１８に繰り出すためのバラ紙幣繰出機構２２ａ、２４ａ（図１０参照）が設けられている。
【００２６】
本実施の形態では、バラ紙幣搬送部１８、バラ紙幣集積機構１６ａ、各バラ紙幣繰出機構２２ａ、２４ａ等を組み合わせることにより、バラ紙幣収納部として機能する第１収納部２２や第２収納部２４からバラ紙幣投出部１６にバラ紙幣を搬送するバラ紙幣搬送手段が構成されている。
【００２７】
また、図２に示すように、バラ紙幣搬送部１８には補充回収部２８が接続されており、この補充回収部２８にはバラ紙幣を積層状態で収納することができるようになっている。ここで、補充回収部２８は筐体１２における係員側の側面（すなわち、図２における右側の側面）から筐体１２の外部（具体的には、図２において参照符号Ｂで示すような係員側）に引き出すことができるようになっている。また、補充回収部２８には、当該補充回収部２８に収納されているバラ紙幣を１枚ずつバラ紙幣搬送部１８に繰り出すためのバラ紙幣繰出機構２８ａ（図１０参照）が設けられている。本実施の形態では、第１収納部２２や第２収納部２４にバラ紙幣を補充する際に、バラ紙幣が収納されている補充回収部２８を筐体１２内に装着させることにより、バラ紙幣繰出機構２８ａによって補充回収部２８からバラ紙幣をバラ紙幣搬送部１８に繰り出させるようにし、繰り出されたバラ紙幣をバラ紙幣搬送部１８により識別部２０に搬送して当該識別部２０によりバラ紙幣の金種等を識別した後に当該金種に対応する収納部２２、２４にバラ紙幣を送るようにする。また、第１収納部２２や第２収納部２４からバラ紙幣を回収する際には、空状態の補充回収部２８を筐体１２内に装着させた後、バラ紙幣繰出機構２２ａ、２４ａによって第１収納部２２や第２収納部２４からバラ紙幣をバラ紙幣搬送部１８に繰り出させるようにし、繰り出されたバラ紙幣をバラ紙幣搬送部１８により識別部２０を経て補充回収部２８に送るようにする。
【００２８】
また、筐体１２の内部において補充回収部２８の下方には補充リジェクト部２６が設けられており、この補充リジェクト部２６はバラ紙幣搬送部１８に接続されている。ここで、第１収納部２２や第２収納部２４にバラ紙幣を補充する際に、識別部２０により正常なバラ紙幣ではないと判別されたバラ紙幣や識別部２０により千円札や一万円札ではないと判別されたバラ紙幣、ならびに識別部２０により識別することができなかったバラ紙幣等は補充リジェクト紙幣として補充リジェクト部２６に送られてこの補充リジェクト部２６に収納されるようになる。
【００２９】
また、筐体１２の内部において補充回収部２８の上方には出金リジェクト部３０が設けられており、この出金リジェクト部３０はバラ紙幣搬送部１８に接続されている。ここで、紙幣処理装置１０においてバラ紙幣の出金処理（後述）が行われる際に、識別部２０により正常なバラ紙幣ではないと判別されたバラ紙幣や識別部２０により出金されるべきバラ紙幣の金種はないと判別されたバラ紙幣、ならびに識別部２０により識別することができなかったバラ紙幣は出金リジェクト紙幣として出金リジェクト部３０に送られてこの出金リジェクト部３０に収納されるようになる。
【００３０】
また、筐体１２の内部において出金リジェクト部３０の更に上方にはバッチ回収部３２が設けられており、このバッチ回収部３２はバラ紙幣搬送部１８に接続されている。ここで、バッチ回収部３２は、紙幣処理装置１０においてバラ紙幣のバッチ回収処理が行われる際に用いられるようになっている。ここで、本実施の形態の紙幣処理装置１０では、制御部６０にバッチ回収処理開始の指令が与えられると、バラ紙幣繰出機構２２ａ、２４ａによって第１収納部２２や第２収納部２４からバラ紙幣がバラ紙幣搬送部１８に繰り出され、繰り出されたバラ紙幣はバラ紙幣搬送部１８により識別部２０を経てバッチ回収部３２および後述する異金種紙幣回収部３４に１００枚ずつ搬送されるようになる。そして、バッチ回収部３２および異金種紙幣回収部３４にバラ紙幣が１００枚収納される度にこれらのバッチ回収部３２および異金種紙幣回収部３４に収納されているバラ紙幣を筐体１２の外部に取り出すことにより、バラ紙幣の回収処理を中断させることなく効率的にバラ紙幣を回収することができる。
【００３１】
また、筐体１２の内部においてバッチ回収部３２の更に上方には異金種紙幣回収部３４が設けられており、この異金種紙幣回収部３４はバラ紙幣搬送部１８に接続されている。ここで、紙幣処理装置１０においてバラ紙幣の入金処理（後述）が行われる際に、識別部２０により二千円紙幣または五千円紙幣であると識別されたバラ紙幣がバラ紙幣搬送部１８から異金種紙幣回収部３４に送られてこの異金種紙幣回収部３４に収納されるようになっている。
【００３２】
また、筐体１２の内部において異金種紙幣回収部３４の更に上方には取り忘れ紙幣回収部３６が設けられており、この取り忘れ紙幣回収部３６はバラ紙幣搬送部１８に接続されている。ここで、紙幣処理装置１０においてバラ紙幣の出金処理（後述）が行われる際に、バラ紙幣搬送部１８からバラ紙幣投出部１６にバラ紙幣が送られてから一定時間が経過してもこのバラ紙幣投出部１６からバラ紙幣が顧客により取り出されなかった場合には、後述する制御部６０によって顧客がバラ紙幣投出部１６からバラ紙幣を取り忘れていると判断され、バラ紙幣投出部１６からバラ紙幣がバラ紙幣搬送部１８により取り忘れ紙幣回収部３６に送られてこの取り忘れ紙幣回収部３６に収納されるようになる。
【００３３】
本実施の形態による紙幣処理装置１０では、競馬場等の係員は、筐体１２の裏面側（すなわち、図２における右側の側面）から補充リジェクト部２６、出金リジェクト部３０、バッチ回収部３２、異金種紙幣回収部３４および取り忘れ紙幣回収部３６の各々にアクセスしてこれらの補充リジェクト部２６、出金リジェクト部３０、バッチ回収部３２、異金種紙幣回収部３４および取り忘れ紙幣回収部３６からバラ紙幣を筐体１２の外部に取り出して回収することができるようになっている。
【００３４】
また、図４等に示すように、筐体１２の上部には帯封紙幣収納部４０および帯封紙幣投出部４２がそれぞれ設けられている。ここで、図４乃至図９に示すような構成の帯封紙幣収納部４０は１つの帯封紙幣を収納することができるようになっている。より詳細には、帯封紙幣収納部４０は、顧客側の側面（すなわち、図２における左側の側面）が開口している扁平形状（すなわち、平べったい形状）の箱からなり、この箱に１つの帯封紙幣の約半分を収納させることができるようになっている。すなわち、帯封紙幣収納部４０の箱に１つの帯封紙幣が収納されたときに、この帯封紙幣における箱に収納されていない約半分の部分は当該箱の開口から顧客側に露出するようになっている（図８参照）。また、図２等に示すように、帯封紙幣投出部４２およびバラ紙幣投出部１６は上下方向に沿って並ぶよう配置されている。
【００３５】
また、本実施の形態では、帯封紙幣収納部４０を筐体１２の奥行き方向に沿って（すなわち、図２における左右方向に）往復移動させる帯封紙幣搬送部４４が設けられており、このような帯封紙幣搬送部４４により、帯封紙幣収納部４０に収納されている帯封紙幣を帯封紙幣収納部４０ごと図４に示すような待機位置から帯封紙幣投出部４２（すなわち、帯封紙幣投出位置）に移動させることができるようになっている。図６は、帯封紙幣搬送部４４により帯封紙幣収納部４０が帯封紙幣投出位置に移動したときの状態を示す図である。ここで、帯封紙幣搬送部４４により帯封紙幣が帯封紙幣収納部４０ごと帯封紙幣投出部４２に移動すると、顧客は投出入ユニット１３に設けられた帯封紙幣の投出口に手を入れることにより帯封紙幣投出部４２から帯封紙幣を取り出すことができるようになる。
【００３６】
このような帯封紙幣搬送部４４の構成の詳細について図８を用いて説明する。なお、図８は、紙幣処理装置１０における帯封紙幣収納部４０や帯封紙幣投出部４２、帯封紙幣搬送部４４等を係員側から見たときの（すなわち、筐体１２の後方側から見たときの）図である。図８に示すように、帯封紙幣搬送部４４は、筐体１２の奥行き方向（すなわち、図２における左右方向）に沿って延びる棒状のガイド部材４４ａと、一対のプーリ４４ｃに掛け渡された循環ベルト４４ｂと、一対のプーリ４４ｃのうち一方のプーリ４４ｃを正逆両方向に回転させることができる駆動モータ４４ｄとを有している。また、帯封紙幣（図８において参照符号Ｐ２で表示）を収納する帯封紙幣収納部４０には、棒状のガイド部材４４ａが通過する貫通穴が設けられた被ガイド部材４０ａが取り付けられるとともに、被ガイド部材４０ａに取付部材４０ｂが取り付けられており、取付部材４０ｂは循環ベルト４４ｂに接続されている。このことにより、駆動モータ４４ｄがプーリ４４ｃを回転させて循環ベルト４４ｂを循環移動させると、被ガイド部材４０ａがガイド部材４４ａによって案内されながら取付部材４０ｂが筐体１２の奥行き方向（すなわち、図２における左右方向）に沿って移動するようになり、帯封紙幣収納部４０も筐体１２の奥行き方向（すなわち、図２における左右方向）に沿って移動するようになる。
【００３７】
本実施の形態では、このような帯封紙幣搬送部４４により、帯封紙幣収納部４０に収納されている帯封紙幣を帯封紙幣投出部４２に搬送する帯封紙幣搬送手段が構成されている。
【００３８】
また、本実施の形態では、筐体１２における係員側の側面（すなわち、図２における右側の側面）から筐体１２の外部（具体的には、図２において参照符号Ｂで示すような係員側）に引き出し可能となっている引出部４６が設置されており、帯封紙幣収納部４０は引出部４６の上面に設けられている。より詳細には、競馬場等の係員が引出部４６を図２における筐体１２の右側の側面から右方向に手動で引き出すことにより、引出部４６は図４に示すような待機位置から図５に示すような引出位置に引き出されるようになる。このことにより、図５に示すように引出部４６を筐体１２における係員側の側面から筐体１２の外部に引き出した状態で、係員は帯封紙幣収納部４０に帯封紙幣を補充することができるようになる。また、係員は図５に示すような引出位置に位置している引出部４６を手動で筐体１２側に押し込むことにより筐体１２内に収容させると、引出部４６は図４に示すような待機位置に戻るようになる。
【００３９】
また、本実施の形態では、帯封紙幣収納部４０の底面から上方に突出可能となっており、帯封紙幣収納部４０に収納される帯封紙幣の位置合わせを行うための突出部５０が当該帯封紙幣収納部４０に設けられている。このような突出部５０の構成について図９（ａ）（ｂ）を用いて説明する。なお、図９（ａ）は、図１等に示す紙幣処理装置１０において筐体１２における係員側の側面（すなわち、図２における筐体１２の右側の側面）から筐体１２の外部に引出部４６が引き出されたときの（すなわち、図５に示すような状態における）突出部５０の構成を示す側面図であり、図９（ｂ）は、図１等に示す紙幣処理装置１０において引出部４６が筐体１２内に収容されているときの（すなわち、図４に示すような状態における）突出部５０の構成を示す側面図である。
【００４０】
突出部５０は図９の紙面に直交する方向に延びる板状のものからなり、この突出部５０の基端部分は、引出部４６の下面に取り付けられた底部材４６ａに回転自在に取り付けられている。また、突出部５０の基端部分にはねじりバネ５２が設けられており、このねじりバネ５２により突出部５０は基端部分を中心として底部材４６ａに対して常に図９における時計回りの方向に回転する力が付勢されるようになっている。そして、筐体１２における係員側の側面から筐体１２の外部に引出部４６が引き出されたときには、ねじりバネ５２による付勢力によって突出部５０は基端部分を中心として底部材４６ａに対して図９における時計回りの方向に回転し、この突出部５０は帯封紙幣収納部４０の底面を構成する板状部材４０ｃに設けられた開口４０ｄを通って帯封紙幣収納部４０の底面から上方に突出する（図９（ａ）参照）。このことにより、係員は引出部４６を筐体１２の外部に引き出した後に帯封紙幣収納部４０に帯封紙幣を収納する際に、この突出部５０の内側に帯封紙幣の先端位置を合わせることにより、帯封紙幣収納部４０に収納される帯封紙幣の位置合わせを行うことができるようになる。一方、引出部４６が筐体１２内に収容され、当該引出部４６が図４に示すような待機位置に戻ると、突出部５０は、帯封紙幣収納部４０の底面を構成する板状部材４０ｃによって押されることにより、基端部分を中心として底部材４６ａに対して図９における反時計回りの方向に回転し、当該突出部５０は帯封紙幣収納部４０の底面を構成する板状部材４０ｃから下方に退避する（図９（ｂ）参照）。このことにより、帯封紙幣搬送部４４により帯封紙幣が帯封紙幣収納部４０ごと帯封紙幣投出部４２に搬送される際に突出部５０が邪魔となってしまうことがない。
【００４１】
また、図９に示すように、引出部４６の底部材４６ａには引っ張りバネ５４が設けられている。このような引っ張りバネ５４は筐体１２の奥行き方向（すなわち、図２における左右方向）に延びるようになっており、引っ張りバネ５４の両端部分はそれぞれピン５４ａ、５４ｂに取り付けられている。ここで、一対のピン５４ａ、５４ｂのうち図９における左側のピン５４ａは突出部５０と連動するようになっており、また、図９における右側のピン５４ｂは底部材４６ａと連動するようになっている。また、図９に示すように、引出部４６の下方には突起４９が位置固定で設けられている。そして、図９（ｂ）に示すように、引出部４６が筐体１２内に収容される際に、底部材４６ａが突起４９に当たることにより一対のピン５４ａ、５４ｂ間の距離が大きくなり、このため引っ張りバネ５４が伸びた状態となる。一方、筐体１２における係員側の側面から筐体１２の外部に引出部４６が引き出されたときには底部材４６ａが突起４９から離間することにより引っ張りバネ５４が縮むようになり、このことにより突出部５０が開口４０ｄを通って帯封紙幣収納部４０の底面から上方に突出するようになる（図９（ａ）参照）。
【００４２】
また、本実施の形態では、上記の帯封紙幣収納部４０、帯封紙幣搬送部４４、引出部４６等はベース部４８上に載置されるようになっており、このベース部４８はその前端部分（すなわち、顧客側の端部）に設けられた軸を中心として筐体１２の上面から上方に開くことができるようになっている。図７は、ベース部４８が筐体１２の上面から上方に開かれたときの状態を示す図である。本実施の形態による紙幣処理装置１０では、バラ紙幣投出部１６（具体的には、バラ紙幣投出部１６に設けられたバラ紙幣集積機構１６ａ）やバラ紙幣搬送部１８等においてバラ紙幣のジャム等のトラブルが発生したときに、図７に示すように競馬場等の係員がベース部４８を筐体１２の上面から上方に開くことにより、当該係員はバラ紙幣投出部１６やバラ紙幣搬送部１８等の内部にアクセスしてこれらのバラ紙幣投出部１６やバラ紙幣搬送部１８等からトラブルの原因となるバラ紙幣を取り出すことができるようになる。
【００４３】
また、本実施の形態の紙幣処理装置１０には、当該紙幣処理装置１０の各構成部材の制御を行うＣＰＵ等の制御部６０が設けられている。より詳細には、図１０に示すように、制御部６０には、バラ紙幣投入部１４に設けられたバラ紙幣繰出機構１４ａ、バラ紙幣搬送部１８、識別部２０、第１収納部２２や第２収納部２４に設けられたバラ紙幣繰出機構２２ａ、２４ａ、補充回収部２８に設けられたバラ紙幣繰出機構２８ａ、バラ紙幣投出部１６に設けられたバラ紙幣集積機構１６ａ、帯封紙幣搬送部４４等がそれぞれ接続されている。そして、識別部２０によるバラ紙幣の識別結果に係る信号が制御部６０に送られるとともに、制御部６０は紙幣処理装置１０の各構成部材に指令信号を送ることによりこれらの構成部材の動作を制御するようになっている。
【００４４】
また、図１０に示すように、制御部６０には投出紙幣情報受付手段６２、報知手段６４および記憶部６６がそれぞれ接続されている。投出紙幣情報受付手段６２は、紙幣処理装置１０において筐体１２の外部に投出されるべき紙幣の枚数または金額に関する情報を受け付けるようになっている。具体的には、本実施の形態による紙幣処理装置１０を備えた払い戻し機１００に当選馬券が顧客によって投入されたときにこの払い戻し機１００に設けられた本体制御部（図示せず）から紙幣処理装置１０の制御部６０に当選金に係る紙幣の枚数または金額に関する情報が送信され、投出紙幣情報受付手段６２は、払い戻し機１００の本体制御部から紙幣処理装置１０の制御部６０に送信された情報に基づいて筐体１２の外部に投出されるべき紙幣の枚数または金額に関する情報を受け付けるようになっている。なお、紙幣処理装置１０において紙幣の出金処理を行う際に筐体１２の外部に投出されるべき紙幣の枚数または金額に関する情報を入力するための入力手段（例えば、各種操作キーやタッチパネル等）が紙幣処理装置１０自体に設けられていてもよい。この場合には、入力手段により入力された情報が投出紙幣情報受付手段６２により受け付けられるようになる。また、報知手段６４は、音声や画面等により係員に対して所定の情報を報知するようになっている。報知手段６４により係員に報知される所定の情報の詳細については後述する。また、記憶部６６には、紙幣処理装置１０における紙幣の処理履歴や、第１収納部２２や第２収納部２４に収納されているバラ紙幣（具体的には、千円紙幣および一万円紙幣）の在高等に関する情報が記憶されるようになっている。また、記憶部６６には、帯封紙幣収納部４０に収納されている帯封紙幣の在高等に関する情報も記憶されるようになっている。
【００４５】
次に、このような構成からなる紙幣処理装置１０においてバラ紙幣の入出金処理や帯封紙幣の出金処理が行われる際の動作について説明する。
【００４６】
まず、紙幣処理装置１０においてバラ紙幣の入金処理が行われる際の動作について述べる。紙幣処理装置１０のバラ紙幣投入部１４に１枚のバラ紙幣またはバラ紙幣の束が投入された後、制御部６０に入金処理開始の指令が与えられると、バラ紙幣投入部１４に投入されたバラ紙幣はバラ紙幣繰出機構１４ａにより１枚ずつ筐体１２内に繰り出され、バラ紙幣搬送部１８により１枚ずつ搬送される。そして、バラ紙幣搬送部１８により搬送されるバラ紙幣は識別部２０によりその金種、真偽、表裏、正損、新旧、搬送状態等が識別される。ここで、識別部２０により正常な紙幣ではないと識別されたバラ紙幣、すなわち入金リジェクト紙幣はバラ紙幣搬送部１８によりバラ紙幣投出部１６に送られる。このことにより、顧客等の操作者はバラ紙幣投出部１６に集積された入金リジェクト紙幣を手動で取り出し、バラ紙幣投入部１４に再投入等することができるようになる。
【００４７】
また、識別部２０により正常な紙幣であると識別されたバラ紙幣のうち千円紙幣および一万円紙幣はそれぞれバラ紙幣搬送部１８により第１収納部２２および第２収納部２４に送られてこれらの第１収納部２２および第２収納部２４に収納される。一方、識別部２０により正常な紙幣であると識別されたバラ紙幣のうち千円紙幣や一万円紙幣以外の金種の紙幣（すなわち、二千円紙幣および五千円紙幣）はバラ紙幣搬送部１８により異金種紙幣回収部３４に送られてこの異金種紙幣回収部３４に収納される。そして、バラ紙幣投入部１４からバラ紙幣が全て筐体１２内に繰り出されて各収納部２２、２４等に収納されると、紙幣処理装置１０におけるバラ紙幣の入金処理が完了する。
【００４８】
次に、紙幣処理装置１０においてバラ紙幣や帯封紙幣の出金処理が行われる際の動作について述べる。本実施の形態による紙幣処理装置１０を備えた払い戻し機１００に当選馬券が顧客によって投入されたときにこの払い戻し機１００に設けられた本体制御部（図示せず）から紙幣処理装置１０の制御部６０に当選金に係る紙幣の枚数または金額に関する情報が送信されると、投出紙幣情報受付手段６２は、払い戻し機１００の本体制御部から紙幣処理装置１０の制御部６０に送信された情報に基づいて筐体１２の外部に投出されるべき紙幣の枚数または金額に関する情報を受け付ける。そして、制御部６０は、投出紙幣情報受付手段６２により受け付けられた情報に基づく筐体１２の外部に投出されるべき同一金種の紙幣の枚数が予め設定された所定枚数（具体的には、帯封紙幣を構成するバラ紙幣の枚数である１００枚）の等倍数以上である場合に、所定枚数の等倍数分の紙幣を帯封紙幣で帯封紙幣投出部４２により筐体１２の外部に投出させるともに所定枚数未満（すなわち、１００枚未満）の紙幣をバラ紙幣でバラ紙幣投出部１６により筐体１２の外部に投出させるよう紙幣処理装置１０の各構成部材（具体的には、バラ紙幣搬送手段および帯封紙幣搬送手段）を制御する。ここで、図４乃至図９に示すような構成の帯封紙幣収納部４０は１つの帯封紙幣しか収納することができず、帯封紙幣投出部４２により１つの帯封紙幣しか筐体１２の外部に投出させることができないため、投出紙幣情報受付手段６２により受け付けられた情報に基づく筐体１２の外部に投出されるべき同一金種の紙幣の枚数が１００枚以上２００枚未満である場合に、帯封紙幣投出部４２により１つの帯封紙幣を筐体１２の外部に投出させるともに１００枚未満の紙幣をバラ紙幣でバラ紙幣投出部１６により筐体１２の外部に投出させるよう制御部６０は紙幣処理装置１０の各構成部材を制御するようになる。なお、競馬場等に設置される払い戻し機１００では、概して２００枚以上の同一金種の紙幣が顧客に払い戻されることはほとんどないが、もし仮に、投出紙幣情報受付手段６２により受け付けられた情報に基づく筐体１２の外部に投出されるべき同一金種の紙幣の枚数が２００枚以上であった場合には、帯封紙幣投出部４２により１つの帯封紙幣を筐体１２の外部に投出させるともに１００枚以上の紙幣をバラ紙幣でバラ紙幣投出部１６により筐体１２の外部に投出させるよう制御部６０は紙幣処理装置１０の各構成部材を制御するようになる。また、２００枚以上の同一金種の紙幣が頻繁に顧客に払い戻されるような紙幣処理装置では、後述するように複数の帯封紙幣を帯封紙幣収納部に収納させることができるような構成のものが用いられることが好ましい。
【００４９】
紙幣処理装置１０においてバラ紙幣の出金処理が行われる際に、第１収納部２２や第２収納部２４からバラ紙幣繰出機構２２ａ、２４ａによりバラ紙幣搬送部１８に繰り出されたバラ紙幣は識別部２０に搬送され、当該識別部２０によりバラ紙幣の識別が行われる。ここで、識別部２０により正常なバラ紙幣ではないと判別されたバラ紙幣や識別部２０により出金されるべきバラ紙幣の金種ではないと判別されたバラ紙幣、ならびに識別部２０により識別することができなかったバラ紙幣は出金リジェクト紙幣として出金リジェクト部３０に送られてこの出金リジェクト部３０に収納される。一方、識別部２０により正常なバラ紙幣であると判別されたバラ紙幣はバラ紙幣搬送部１８によりバラ紙幣投出部１６に送られ、このバラ紙幣投出部１６に設けられたバラ紙幣集積機構１６ａによりバラ紙幣は積層状態に集積されるようになる。そして、出金されるべきバラ紙幣が全てバラ紙幣投出部１６に送られると、バラ紙幣集積機構１６ａにおいてステージ上に集積されたバラ紙幣の束がステージと搬送ベルトとの間で保持された状態で搬送ベルトにより筐体１２の外部に向かって（すなわち、図２における左側に）押し出されるようになる。このことにより、顧客は投出入ユニット１３に設けられたバラ紙幣の投出口からバラ紙幣の束を取り出すことができるようになる。なお、紙幣処理装置１０においてバラ紙幣の出金処理が行われる際に、バラ紙幣搬送部１８からバラ紙幣投出部１６にバラ紙幣が送られてから一定時間が経過してもこのバラ紙幣投出部１６からバラ紙幣が顧客により取り出されなかった場合には、顧客がバラ紙幣投出部１６からバラ紙幣を取り忘れていると制御部６０が判断する。このときには、バラ紙幣集積機構１６ａにおいてステージ上に集積されたバラ紙幣を集積状態のままバラ紙幣搬送部１８に戻すことによって、バラ紙幣投出部１６からバラ紙幣がバラ紙幣搬送部１８により取り忘れ紙幣回収部３６に送られてこの取り忘れ紙幣回収部３６に収納されるようになる。
【００５０】
また、紙幣処理装置１０において帯封紙幣の出金処理が行われる際に、帯封紙幣搬送部４４により、帯封紙幣収納部４０に収納されている帯封紙幣が帯封紙幣収納部４０ごと図４に示すような待機位置から帯封紙幣投出部４２に移動させられる。そして、帯封紙幣搬送部４４により帯封紙幣が帯封紙幣収納部４０ごと帯封紙幣投出部４２に移動すると、顧客は投出入ユニット１３に設けられた帯封紙幣の投出口に手を入れることにより帯封紙幣投出部４２から帯封紙幣を取り出すことができるようになる。なお、紙幣処理装置１０において帯封紙幣の出金処理が行われる際に、帯封紙幣搬送部４４により帯封紙幣が帯封紙幣収納部４０ごと帯封紙幣投出部４２に送られてから一定時間が経過してもこの帯封紙幣投出部４２から帯封紙幣が顧客により取り出されなかった場合には、顧客が帯封紙幣投出部４２から帯封紙幣を取り忘れていると制御部６０が判断する。このときには、帯封紙幣搬送部４４が帯封紙幣収納部４０を図４に示すような待機位置に戻すことにより、帯封紙幣を筐体１２の外部に取り出すことができなくなる。
【００５１】
本実施の形態では、制御部６０は、筐体１２の外部に投出されるべきバラ紙幣がバラ紙幣投出部１６に送られて筐体１２の外部から取り出し可能となるタイミングと、筐体１２の外部に投出されるべき帯封紙幣が帯封紙幣投出部４２に送られて筐体１２の外部から取り出し可能となるタイミングとが略同一となるよう、紙幣処理装置１０の各構成部材（具体的には、バラ紙幣搬送手段および帯封紙幣搬送手段）を制御するようになっている。ここで、バラ紙幣がバラ紙幣投出部１６に送られるタイミングと帯封紙幣が帯封紙幣投出部４２に送られるタイミングとがずれる場合には、早いタイミングの種類の紙幣を顧客が筐体１２の外部に取り出した後に紙幣処理装置１０から離れることによって遅いタイミングの種類の紙幣を当該顧客が取り忘れてしまうおそれがある。これに対し、本実施の形態ではバラ紙幣がバラ紙幣投出部１６に送られるタイミングと帯封紙幣が帯封紙幣投出部４２に送られるタイミングとが略同一となるためバラ紙幣投出部１６に送られたバラ紙幣の束および帯封紙幣投出部４２に送られた帯封紙幣のうち何れか一方だけを顧客が認識してしまい他方の種類の紙幣を取り忘れてしまうことを防止することができる。
【００５２】
また、本実施の形態では、バラ紙幣および帯封紙幣の出金処理が行われる際に、バラ紙幣投出部１６に送られて筐体１２の外部から取り出し可能となっているバラ紙幣の束の先端位置と、帯封紙幣投出部４２に送られて筐体１２の外部から取り出し可能となっている帯封紙幣の先端位置とが異なるようになっている。このことについて図３を用いて説明する。図３は、図１等に示す紙幣処理装置１０においてバラ紙幣および帯封紙幣の出金処理が行われる際に投出入ユニット１３から顧客側に突出したバラ紙幣の束および帯封紙幣を示す側面図である。図３に示すように、バラ紙幣および帯封紙幣の出金処理が行われる際に、バラ紙幣投出部１６に送られて筐体１２の外部から取り出し可能となっているバラ紙幣の束（図３において参照符号Ｐ１で表示）の先端位置は、帯封紙幣投出部４２に送られて筐体１２の外部から取り出し可能となっている帯封紙幣（図３において参照符号Ｐ２で表示）の先端位置よりも筐体１２の奥行き方向における手前側（すなわち、図３における左側）となる。このように、バラ紙幣および帯封紙幣の出金処理が行われる際にバラ紙幣の束の先端位置および帯封紙幣の先端位置が段違いになる場合には、顧客は投出入ユニット１３から顧客側に突出したバラ紙幣の束および帯封紙幣の両方を視認しやすくなり、よってバラ紙幣の束および帯封紙幣のうち何れか一方だけを顧客が認識してしまい他方の種類の紙幣を取り忘れてしまうことを防止することができるようになる。
【００５３】
また、本実施の形態では、制御部６０は、帯封紙幣収納部４０に収納される帯封紙幣の数が予め設定された所定数となったときに、帯封紙幣収納部４０に収納される帯封紙幣の数が予め設定された所定数であるという情報を出力するようになっている。具体的には、図４乃至図９に示すような構成の帯封紙幣収納部４０は１つの帯封紙幣しか収納することができないようになっているため、上記の「所定数」として「０」が予め設定される。この場合には、制御部６０は、帯封紙幣収納部４０に収納される帯封紙幣の数が０となったときに、すなわち、帯封紙幣収納部４０に収納される帯封紙幣が帯封紙幣投出部４２において顧客により筐体１２の外部に取り出されたときに、帯封紙幣収納部４０に収納される帯封紙幣の数が０であるという情報を出力するようになる。制御部６０により出力された情報は払い戻し機１００の本体制御部に送信されたり、紙幣処理装置１０に設けられた報知手段６４によって音声や画面により係員に報知されたりする。具体的には、報知手段６４として例えばスピーカーやモニタ等が紙幣処理装置１０の筐体１２における係員側の側面に設けられており、スピーカーにより警告音が発せられたりモニタに警告メッセージが表示されたりすることにより係員に対して帯封紙幣収納部４０が空状態であるという情報が報知されるようになる。このことにより、帯封紙幣収納部４０が空状態であることを係員が認識すると、当該係員は手動で引出部４６を図２における筐体１２の右側の側面から筐体１２の外部に手動で引き出すことにより、引出部４６を図４に示すような待機位置から図５に示すような引出位置に引き出す。このようにして、係員は帯封紙幣収納部４０に帯封紙幣を補充することができるようになる。また、係員は帯封紙幣収納部４０に帯封紙幣を補充した後、図５に示すような引出位置に位置している引出部４６を手動で筐体１２側に押し込むことにより筐体１２内に収容させると、引出部４６は図４に示すような待機位置に戻るようになる。
【００５４】
以上のような構成からなる本実施の形態の紙幣処理装置１０によれば、帯封紙幣を収納する帯封紙幣収納部４０、および筐体１２における顧客側の側面に設けられ、帯封紙幣を筐体１２の外部に投出するための帯封紙幣投出部４２がそれぞれ設置されており、筐体１２における係員側の側面から帯封紙幣収納部４０に帯封紙幣を補充可能となっている。このような紙幣処理装置１０によれば、紙幣の出金処理を行う際に帯封紙等の帯封媒体で帯封された帯封紙幣を筐体１２の外部に投出させることにより、全ての紙幣をバラ紙幣で筐体１２の外部に投出させる場合と比較して、出金された紙幣を顧客が扱いやすくなり、また紙幣の出金処理にかかる時間を短縮することができる。さらに、筐体１２における係員側の側面から帯封紙幣収納部４０に帯封紙幣を補充可能となっているため営業時間中でも顧客による紙幣の取扱期間を中断させることなく帯封紙幣収納部４０に帯封紙幣を補充することができる。
【００５５】
また、本実施の形態の紙幣処理装置１０においては、上述したように、筐体１２における係員側の側面から筐体１２の外部に引き出し可能となっている引出部４６が設置されており、帯封紙幣収納部４０は引出部４６に設けられている。この場合には、係員は引出部４６を筐体１２における係員側の側面から筐体１２の外部に引き出すことによって帯封紙幣収納部４０に帯封紙幣を補充することができるようになる。また、帯封紙幣収納部４０の底面から上方に突出可能となっており、帯封紙幣収納部４０に収納される帯封紙幣の位置合わせを行うための突出部５０が当該帯封紙幣収納部４０に設けられており、引出部４６が筐体１２の外部に引き出されたときに突出部５０が帯封紙幣収納部４０の底面から上方に突出するようになっている。この場合には帯封紙幣収納部４０に帯封紙幣を補充するために引出部４６を筐体１２の外部に引き出したときに突出部５０が帯封紙幣収納部４０の底面から上方に突出するため、係員はこの突出部５０により帯封紙幣収納部４０に収納される帯封紙幣の位置合わせを行うことができるようになる。
【００５６】
また、本実施の形態の紙幣処理装置１０においては、上述したように、バラ紙幣搬送手段および帯封紙幣搬送手段を制御する制御部６０、および筐体１２の外部に投出されるべき紙幣の枚数または金額に関する情報を受け付ける投出紙幣情報受付手段６２がそれぞれ設置されており、制御部６０は、投出紙幣情報受付手段６２により受け付けられた情報に基づく筐体１２の外部に投出されるべき同一金種の紙幣の枚数が予め設定された所定枚数の等数倍以上である場合に、所定枚数の等数倍分の紙幣を帯封紙幣で帯封紙幣投出部４２により筐体１２の外部に投出させるとともに所定枚数未満の紙幣をバラ紙幣でバラ紙幣投出部１６により筐体１２の外部に投出させるようバラ紙幣搬送手段および帯封紙幣搬送手段を制御するようになっている。この場合には、所定枚数の等数倍分の紙幣を帯封紙幣で帯封紙幣投出部４２により筐体１２の外部に投出させることにより、全ての紙幣をバラ紙幣で筐体１２の外部に投出させる場合と比較して、出金された紙幣を顧客が扱いやすくなり、また紙幣の出金処理にかかる時間を短縮することができる。
【００５７】
また、本実施の形態の紙幣処理装置１０においては、上述したように、制御部６０は、筐体１２の外部に投出されるべきバラ紙幣がバラ紙幣投出部１６に送られて筐体１２の外部から取り出し可能となるタイミングと、筐体１２の外部に投出されるべき帯封紙幣が帯封紙幣投出部４２に送られて筐体１２の外部から取り出し可能となるタイミングとが略同一となるようバラ紙幣搬送手段および帯封紙幣搬送手段を制御するようになっている。この場合には、バラ紙幣がバラ紙幣投出部１６に送られるタイミングと帯封紙幣が帯封紙幣投出部４２に送られるタイミングとが略同一となるためバラ紙幣投出部１６に送られたバラ紙幣の束および帯封紙幣投出部４２に送られた帯封紙幣のうち何れか一方だけを顧客が認識してしまい他方の種類の紙幣を取り忘れてしまうことを防止することができる。
【００５８】
また、本実施の形態の紙幣処理装置１０においては、上述したように、バラ紙幣投出部１６および帯封紙幣投出部４２は上下方向に沿って並ぶよう配置されている。また、バラ紙幣搬送手段によりバラ紙幣投出部１６に送られて筐体１２の外部から取り出し可能となっているバラ紙幣の先端位置と、帯封紙幣搬送手段により帯封紙幣投出部４２に送られて筐体１２の外部から取り出し可能となっている帯封紙幣の先端位置とが異なるようになっている。この場合には、バラ紙幣および帯封紙幣の出金処理が行われる際にバラ紙幣の束の先端位置および帯封紙幣の先端位置が段違いになるため、顧客は投出入ユニット１３から顧客側に突出したバラ紙幣の束および帯封紙幣の両方を視認しやすくなり、よってバラ紙幣の束および帯封紙幣のうち何れか一方だけを顧客が認識してしまい他方の種類の紙幣を取り忘れてしまうことを防止することができるようになる。
【００５９】
また、本実施の形態の紙幣処理装置１０においては、上述したように、制御部６０は、帯封紙幣収納部４０に収納される帯封紙幣の数が予め設定された所定数となったときに帯封紙幣収納部４０に収納される帯封紙幣の数が所定数であるという情報を出力する出力手段として機能するようになっている。この場合には、出力手段により出力された情報に基づいて、帯封紙幣収納部４０に収納される帯封紙幣の数が所定数となったことにより（具体的には、帯封紙幣収納部４０に収納される帯封紙幣の数が例えば０になったことにより）当該帯封紙幣収納部４０に帯封紙幣を補充しなければならないことを係員が認識することができるようになる。また、この場合、本実施の形態の紙幣処理装置１０において、出力手段として機能する制御部６０により出力された情報を係員に報知するための報知手段６４が設けられていてもよい。
【００６０】
なお、本実施の形態による紙幣処理装置は、上述したような態様に限定されることはなく、様々な変更を加えることができる。
【００６１】
例えば、図１乃至図１０に示す構成の紙幣処理装置１０において、バラ紙幣搬送部１８によりバラ紙幣投出部１６にバラ紙幣が送られるとともに帯封紙幣搬送部４４により帯封紙幣投出部４２に帯封紙幣が送られることにより図３に示すように投出入ユニット１３から顧客側にバラ紙幣および帯封紙幣がそれぞれ突出した後、所定の時間（例えば、３０秒）が経過するとバラ紙幣および帯封紙幣がそれぞれ投出入ユニット１３から更に顧客側に押し出されるようになっていてもよい。この場合には、投出入ユニット１３から顧客側にバラ紙幣および帯封紙幣がそれぞれ突出したにもかかわらず顧客がこれらのバラ紙幣および帯封紙幣に気づかなかった場合、所定の時間（例えば、３０秒）が経過したときにバラ紙幣および帯封紙幣をそれぞれ投出入ユニット１３から更に顧客側に押し出すことにより顧客がこれらのバラ紙幣および帯封紙幣に気づきやすくすることができるようになる。
【００６２】
また、本実施の形態による紙幣処理装置１０は、筐体１２の外部に投出されるべきバラ紙幣がバラ紙幣投出部１６に送られて筐体１２の外部から取り出し可能となるタイミングと、筐体１２の外部に投出されるべき帯封紙幣が帯封紙幣投出部４２に送られて筐体１２の外部から取り出し可能となるタイミングとが略同一となるようバラ紙幣搬送手段および帯封紙幣搬送手段が制御されるような態様に限定されることはない。変形例に係る紙幣処理装置１０において、バラ紙幣および帯封紙幣の出金処理を行う際に、筐体１２の外部に投出されるべきバラ紙幣がバラ紙幣搬送手段によりバラ紙幣投出部１６に先に送られて筐体１２の外部から取り出し可能となり、バラ紙幣投出部１６からバラ紙幣が取り出されると、筐体１２の外部に投出されるべき帯封紙幣が帯封紙幣搬送手段により帯封紙幣投出部４２に送られて筐体１２の外部から取り出し可能となるような動作が行われるようになっていてもよい。
【００６３】
また、別の変形例に係る紙幣処理装置として、帯封紙幣収納部に複数の帯封紙幣を収納させることができるものが用いられるようになっていてもよい。このような変形例に係る紙幣処理装置における帯封紙幣収納部、帯封紙幣投出部および帯封紙幣搬送部の構成について図１１を用いて説明する。
【００６４】
図１１に示すような変形例に係る紙幣処理装置１０ａでは、帯封紙幣収納部７０には複数の帯封紙幣が積層状態で収納されるようになっている。また、紙幣処理装置１０ａの筐体における顧客側の側面には、帯封紙幣を筐体の外部に投出するための帯封紙幣投出部７２が設けられている。また、帯封紙幣収納部７０から帯封紙幣投出部７２に帯封紙幣を搬送する帯封紙幣搬送部７４は、一対のプーリ７４ｂに掛け渡された循環ベルト７４ａを有しており、一対のプーリ７４ｂのうち一方のプーリ７４ｂが図示しない駆動モータによって回転駆動されることにより循環ベルト７４ａが図１１における反時計回りの方向（すなわち、図１１における矢印方向）に循環移動するようになっている。ここで、循環ベルト７４ａは帯封紙幣収納部７０の底面を構成しており、帯封紙幣収納部７０に積層状態で収納されている複数の帯封紙幣のうち最下層の帯封紙幣が循環ベルト７４ａにより１つずつ帯封紙幣投出部７２に向かって搬送されるようになっている。また、循環ベルト７４ａの表面には複数の突起７４ｃが等間隔で設けられており、各突起７４ｃによって帯封紙幣が引っ掛けられることにより当該帯封紙幣は循環ベルト７４ａにより１つずつ搬送されるようになっている。
【００６５】
なお、図１１に示す紙幣処理装置１０ａにおいて、バラ紙幣の処理を行う各構成部材については図１乃至図１０に示す紙幣処理装置１０と同一であるためその説明および図示を省略する。
【００６６】
図１１に示すような変形例に係る紙幣処理装置１０ａでは、筐体の外部に投出されるべき紙幣の枚数または金額に関する情報が投出紙幣情報受付手段により受け付けられるようになっており、紙幣処理装置１０ａに設けられた制御部は、投出紙幣情報受付手段により受け付けられた情報に基づく筐体の外部に投出されるべき同一金種の紙幣の枚数が予め設定された所定枚数（具体的には、帯封紙幣を構成するバラ紙幣の枚数である１００枚）の等倍数以上である場合に、所定枚数の等倍数分の紙幣を帯封紙幣で帯封紙幣投出部７２により筐体の外部に投出させるともに所定枚数未満（すなわち、１００枚未満）の紙幣をバラ紙幣でバラ紙幣投出部により筐体の外部に投出させるよう紙幣処理装置１０ａの各構成部材（具体的には、バラ紙幣搬送手段および帯封紙幣搬送手段）を制御する。ここで、図１１に示すような構成の帯封紙幣収納部７０には複数の帯封紙幣を収納させることができるようになっており、帯封紙幣投出部７２により複数の帯封紙幣を筐体の外部に投出させることができるようになっている。このため、投出紙幣情報受付手段により受け付けられた情報に基づく筐体の外部に投出されるべき同一金種の紙幣の枚数が２００枚以上である場合にも、帯封紙幣投出部７２により２つ以上の帯封紙幣を筐体の外部に投出させるともに１００枚未満の紙幣をバラ紙幣でバラ紙幣投出部により筐体の外部に投出させることができるようになる。このように、図１１に示すような構成の紙幣処理装置１０ａでは、２００枚以上の同一金種の紙幣を複数の帯封紙幣および１００枚未満のバラ紙幣により顧客に払い戻すことができるようになる。
【００６７】
また、図１１に示すような変形例に係る紙幣処理装置１０ａでも、筐体における係員側の側面から帯封紙幣収納部７０に複数の帯封紙幣を補充可能となっている。このように、変形例に係る紙幣処理装置１０ａでは、筐体における係員側の側面から帯封紙幣収納部７０に帯封紙幣を補充可能となっているため、図１乃至図１０に示す紙幣処理装置１０と同様に、営業時間中でも顧客による紙幣の取扱期間を中断させることなく帯封紙幣収納部７０に帯封紙幣を補充することができる。
【００６８】
また、図１１に示すような変形例に係る紙幣処理装置１０ａでも、図１乃至図１０に示す紙幣処理装置１０と同様に、制御部は、帯封紙幣収納部７０に収納される帯封紙幣の数が予め設定された所定数となったときに帯封紙幣収納部７０に収納される帯封紙幣の数が所定数であるという情報を出力するようになっている。この場合には、制御部から出力された情報に基づいて、帯封紙幣収納部７０に収納される帯封紙幣の数が少なくなったまたは０となったことにより当該帯封紙幣収納部７０に帯封紙幣を補充しなければならないことを係員が認識することができるようになる。なお、図１１に示すような変形例に係る紙幣処理装置１０ａでは、予め設定された所定数が０であることに限定されることはなく、予め設定された所定数が１以上であってもよい。
【００６９】
また、更なる変形例に係る紙幣処理装置として、図１２に示すような構成のものが用いられてもよい。図１２に示す紙幣処理装置１０ｂでは、筐体１２における係員側の側面（すなわち、図１２における右側の側面）から筐体１２の外部（具体的には、図１２において参照符号Ｂで示すような係員側）に引き出し可能となっている引出部４６が設置されておらず、代わりに筐体１２における係員側の側面に扉４１が設けられており、この扉４１を開くことにより帯封紙幣収納部４０に帯封紙幣を補充することができるようになっている。なお、図１２に示すような更なる変形例に係る紙幣処理装置１０ｂを説明するにあたり、図１乃至図１０に示す紙幣処理装置１０と同一の構成部材については同一の参照符号を付してその説明を省略する。
【００７０】
図１２に示すような更なる変形例に係る紙幣処理装置１０ｂによれば、図１乃至図１０に示す紙幣処理装置１０と同様に、帯封紙幣を収納する帯封紙幣収納部４０、および筐体１２における顧客側の側面に設けられ、帯封紙幣を筐体１２の外部に投出するための帯封紙幣投出部４２がそれぞれ設置されており、扉４１を開くことにより筐体１２における係員側の側面から帯封紙幣収納部４０に帯封紙幣を補充可能となっている。具体的には、帯封紙幣収納部４０には図示しない取込ローラが設けられており、扉４１を開けて帯封紙幣収納部４０に帯封紙幣を補充する際に、取込ローラにより帯封紙幣が帯封紙幣収納部４０の内部に取り込まれるようになっていてもよい。このような紙幣処理装置１０ｂによれば、紙幣の出金処理を行う際に帯封紙等の帯封媒体で帯封された帯封紙幣を筐体１２の外部に投出させることにより、全ての紙幣をバラ紙幣で筐体１２の外部に投出させる場合と比較して、出金された紙幣を顧客が扱いやすくなり、また紙幣の出金処理にかかる時間を短縮することができる。さらに、扉４１を開くことにより筐体１２における係員側の側面から帯封紙幣収納部４０に帯封紙幣を補充可能となっているため営業時間中でも顧客による紙幣の取扱期間を中断させることなく帯封紙幣収納部４０に帯封紙幣を補充することができる。
【符号の説明】
【００７１】
１０、１０ａ、１０ｂ  紙幣処理装置
１２    筐体
１３    投出入ユニット
１４    バラ紙幣投入部
１４ａ  バラ紙幣繰出機構
１６    バラ紙幣投出部
１６ａ  バラ紙幣集積機構
１８    バラ紙幣搬送部
２０    識別部
２２    第１収納部
２２ａ  バラ紙幣繰出機構
２４    第２収納部
２４ａ  バラ紙幣繰出機構
２６    補充リジェクト部
２８    補充回収部
２８ａ  バラ紙幣繰出機構
３０    出金リジェクト部
３２    バッチ回収部
３４    異金種紙幣回収部
３６    紙幣回収部
４０    帯封紙幣収納部
４０ａ  被ガイド部材
４０ｂ  取付部材
４０ｃ  板状部材
４０ｄ  開口
４１    扉
４２    帯封紙幣投出部
４４    帯封紙幣搬送部
４４ａ  ガイド部材
４４ｂ  循環ベルト
４４ｃ  プーリ
４６    引出部
４６ａ  底部材
４８    ベース部
５０    突出部
５２    ねじりバネ
５４    引っ張りバネ
５４ａ、５４ｂ  ピン
６０    制御部
６２    投出紙幣情報受付手段
６４    報知手段
６６    記憶部
７０    帯封紙幣収納部
７２    帯封紙幣投出部
７４    帯封紙幣搬送部
７４ａ  循環ベルト
７４ｂ  プーリ
７４ｃ  突起
１００  払い戻し機
【図１】
2017033127.tif 000003
【図２】
2017033127.tif 000004
【図３】
2017033127.tif 000005
【図４】
2017033127.tif 000006
【図５】
2017033127.tif 000007
【図６】
2017033127.tif 000008
【図７】
2017033127.tif 000009
【図８】
2017033127.tif 000010
【図９】
2017033127.tif 000011
【図１０】
2017033127.tif 000012
【図１１】
2017033127.tif 000013
【図１２】
2017033127.tif 000014